(57)【特許請求の範囲】
【請求項１】
植物をディスプレイするための面、及び植物を植え込む植込口を有した可視ディスプレイ部と、
前記可視ディスプレイ部の背面側に取り付けられ、当該可視ディスプレイ部に取り付けられる面は開放面となり、且つ前記植込口に植え込まれる植物の根部を包囲して培養土を収容するための内部空間を有した箱状体と、を備え、
前記可視ディスプレイ部を立てた状態において、前記箱状体の上面の少なくとも一部には開口部が形成され、
さらに、植物を収容保持し、前記可視ディスプレイ部の植込口に嵌め合わされることにより係合される鉢状体を備え、
前記鉢状体は、その側面及び底面に隙間を有し、
前記可視ディスプレイ部の植込口には、前記鉢状体と係合可能な係合部が形成されている、ことを特徴とする植木鉢。
【請求項２】
前記開口部には、蓋部が着脱可能に取り付けられる、ことを特徴とする請求項１に記載の植木鉢。
【請求項３】
前記可視ディスプレイ部の面は略板形状で形成され、
前記植込口は、前記可視ディスプレイ部の略中央位置に設けられた円孔であり、
前記蓋部には、通水のための複数の穴部が形成される、ことを特徴とする請求項２に記載の植木鉢。
【発明の詳細な説明】
【技術分野】
【０００１】
本発明は、植物の栽培に用いる植木鉢に関する。
【背景技術】
【０００２】
従来から、植物の栽培においては陶器製や合成樹脂製の逆円錐台型の植木鉢やプランターが広く一般に用いられている。
【０００３】
そして、近年、建物や構築物の壁面などに沿って緑を設置する壁面緑化が盛んになってきている。壁面緑化による効果は様々であり、緑に囲まれた空間にすることにより癒しやリラックス効果が生じる。また、これ以外にも、都市部の気温の上昇を防ぐヒートアイランド対策、夏期には室温の上昇を抑えて冬期には外に温度が逃げるのを防ぐという省エネ対策などの効果を有する。
【０００４】
従来から様々な壁面緑化システムがあり、例えば、下記の非特許文献１に示すようなカセット式の壁面緑化システムが知られている。この壁面緑化システムは、（１）カセット鉢を交換するのみで植物の簡単交換が可能、（２）市販のポット苗の使用が可能、（３）潅水システムに対応可能などの特徴を有する。
【０００５】
また、ポット鉢を用いた緑化システムとして、立体花壇の面形状を任意に形成可能とし、花株の乾燥を抑制して立体花壇を良好な状態で長時間維持できる立体花壇形成用基枠も開示されている（例えば、特許文献１参照）。
【先行技術文献】
【特許文献】
【０００６】
【特許文献１】特開２００６−３４１１４号公報
【非特許文献】
【０００７】
【非特許文献１】“カセット式の壁面緑化システム”[平成２７月５月２４日検索]、インターネット＜ＵＲＬ：http://www.itoshoji.co.jp/greenwall/index.html＞
【発明の概要】
【発明が解決しようとする課題】
【０００８】
しかしながら、上記従来の壁面緑化システムでは、植物をカセット鉢に入れて用いるため、培養土の量が比較的少ない。このため、カセット鉢が風に晒されて乾燥しやすく、また、たとえ植物を枯らさないために水を撒いても保水期間が短くすぐに乾いてしまう（例えば、水をカセット鉢に与えても半日で渇くなど）。その結果、植物が長持ちしない、上手に育たない、長期イベントでの使用には適さないなどの問題が生じている。
【０００９】
また、近年は建物や構築物における緑化が盛んになってきており、従来に用いられていない様々な空間や場所に配置することができる新しいタイプの植木鉢の出現も望まれている。
【００１０】
さらに、植木鉢であっても、施工性に優れ、植物の存在感のある景観を即席で創出でき、且つ植物のレイアウト変更性にも非常に優れたものが望まれる。
【００１１】
本発明は、上記課題に鑑みてなされたものであり、植物の乾燥を抑制して更に多量の培養土により植物を良好な状態で長期間維持でき、且つ様々な空間や場所に配置できる新しい形状の植木鉢を提供することを目的とする。
【課題を解決するための手段】
【００１２】
上記目的を達成するために本発明は、植物をディスプレイするための面、及び植物を植え込む植込口を有した可視ディスプレイ部と、前記可視ディスプレイ部の背面側に取り付けられ、当該可視ディスプレイ部に取り付けられる面は開放面となり、且つ前記植込口に植え込まれる植物の根部を包囲して培養土を収容するための内部空間を有した箱状体と、を備え、前記可視ディスプレイ部を立てた状態において、前記箱状体の上面の少なくとも一部には開口部が形成され、さらに、植物を収容保持し、前記可視ディスプレイ部の植込口に嵌め合わされることにより係合される鉢状体を備え、前記鉢状体は、その側面及び底面に隙間を有し、前記可視ディスプレイ部の植込口には、前記鉢状体と係合可能な係合部が形成されていることを特徴とする植木鉢である。
【００１４】
また、この植木鉢において、前記開口部には、蓋部が着脱可能に取り付けられることが好ましい。
【００１５】
また、この植木鉢において、前記可視ディスプレイ部の面は略板形状で形成され、前記植込口は、前記可視ディスプレイ部の略中央位置に設けられた円孔であり、前記蓋部には、通水のための複数の穴部が形成されることが好ましい。
【発明の効果】
【００１６】
本発明に係る植木鉢は、植物を植え込むための面、及び植込口を有した可視ディスプレイ部と、植込口に植え込まれる植物の根部を包囲して培養土を収容するための内部空間を有した箱状体とを備える。また、可視ディスプレイ部を立てた状態において、箱状体の上面には開口部が形成され、この開口部には、蓋部が着脱可能に取り付けられる。この構成により、植物の乾燥を抑制して植物を良好な状態で長期間維持でき、且つ様々な空間や場所に配置できる新しい形状の植木鉢となる。
【図面の簡単な説明】
【００１７】
【図１】（ａ）本発明の実施の形態１に係る植木鉢の正面側の斜視図、（ｂ）同上植木鉢の背面側の斜視図である。
【図２】（ａ）同上植木鉢を構成する可視ディスプレイ部の正面図、（ｂ）同上可視ディスプレイ部のＡ−Ａ線断面図である。
【図３】（ａ）同上植木鉢の分解斜視図、（ｂ）同上植木鉢の正面図である。
【図４】（ａ）同上植木鉢に用いる鉢状体の側面図、（ｂ）同上鉢状体への植物の収容方法の説明図、（ｃ）同上鉢状体を可視ディスプレイ部の植込口に嵌め合わせた場合の説明図である。
【図５】（ａ）植物を収容した同上鉢状体の側面図、（ｂ）同上鉢状体を可視ディスプレイ部の植込口に嵌め合わせた側面図、（ｃ）同上箱状体に培養土を収容した場合の側面図、（ｄ）同上箱状体の蓋部を取り付けた側面図、（ｅ）同上植木鉢を養生する場合の側面図である。
【図６】同上植木鉢の設置例を示す参考図である。
【図７】（ａ）同上植木鉢の設置例を示す側面図、（ｂ）同上植木鉢の他の設置例を示す側面図である。
【図８】同上植木鉢の別の設置例を示す参考図である。
【図９】（ａ）同上実施の形態１の変形例１に係る植木鉢の可視ディスプレイ部の正面図、（ｂ）同上実施の形態１の変形例２に係る植木鉢の可視ディスプレイ部の正面図である。
【発明を実施するための形態】
【００１８】
（実施の形態１）
本発明の実施の形態１に係る植木鉢について図面を参照して説明する。本実施の形態１に係る植木鉢は、植物を設置するために、取り付け可能なあらゆる建物や建築物の支柱や壁面に沿って設置できるものである。なお、ここで植物とは、花株に限定するものではなく、観葉植物、つる性植物のような植物全てを含めて総称している。
【００１９】
最初に、本実施の形態１に係る植木鉢の構造に関して説明する。図１に示すように、植木鉢１は、可視ディスプレイ部２及び箱状体３を備えている。
【００２０】
可視ディスプレイ部２は、植物をディスプレイするための面、及び植物を植え込む植込口２ａを有した樹脂材や金属材などの部材である。なお、可視ディスプレイ部２の面は、本実施の形態１においては平面の略板形状で形成されているが、この形状に限定されるものではなく、正面視で円形状、側面視で曲面形状など植物をディスプレイするための面を有すれば良い。
【００２１】
可視ディスプレイ部２の植込口２ａは、略中央位置に形成された円孔であり、当該円孔には、図２に示すように、内側に向かって傾斜した傾斜部２ｂ、及び傾斜部２ｂの先端において後述する鉢状体を係合するための係合部２ｃが形成されている。なお、可視ディスプレイ部２の大きさは、例えば２００〜５００ｍｍ角、植込口２ａの径は１００〜２００ｍｍなどである。なお、可視ディスプレイ部２の大きさは、設置場所や植える植物の大きさに併せて変えられるのが好ましい。
【００２２】
箱状体３は、図３に示すように、可視ディスプレイ部２の背面側に取り付けられ、可視ディスプレイ部２に取り付けられる面は開放面３ａとなり、且つ植込口２ａに植え込まれる植物の根部を包囲して培養土を収容するための内部空間を有する。また、可視ディスプレイ部２を立てた状態において、箱状体３の上面の少なくとも一部には開口部３ｂが形成され、開口部３ｂには、蓋部３ｃが着脱可能に取り付けられる。なお、可視ディスプレイ部２及び箱状体３は、ボルトとナットなどの部材を用いて接合しても良いし、後述のように係合可能な構造としても良い。また、箱状体３は樹脂成型の段階で左右に２分割されたものの合体物となる事もある。
【００２３】
箱状体３の容量は、例えば２〜３ｌであり、一般的に販売されている植木鉢の６号〜７号に相当する比較的多くの容量の培養土を収容できる内部空間を有している。このため、箱状体３によって植物の根部が風に晒されることを防ぎ、且つ箱状体３に収容された培養土が乾燥しにくく、植物の生育環境を長期間に亘ってより好適に保つことができる。
【００２４】
蓋部３ｃは、通水性を有する通水性カバーであり、例えば、図３（ａ）に示すように、複数の穴部３ｄが網目状やメッシュ状で形成される。また、蓋部３ｃは、箱状体３に収容された培養土が外部に流出することを防止することもできる。なお、蓋部３ｃを用いずにコケなどを開口部３ｂ側に植えることも考え得る。
【００２５】
植木鉢１は、図４に示すように、植物を収容保持し、可視ディスプレイ部２の植込口２ａに嵌め合わされることにより係合される鉢状体４を備える。鉢状体４は、図４（ｂ）に示すように、例えば、鉢４ａと、植物が鉢から脱出するのを防止するストッパ４ｂとをセットにして用いて植物を保持するものである。
【００２６】
鉢４ａは、例えば、上部のフランジ部４１と、フランジ部４１から下方に延設された複数の帯体４２とを備えており、複数の帯体４２は、鉢４ａの下方において互いに結合されて鉢４ａの底部を構成している。そして、鉢４ａは、その側面及び底面に広い隙間を有する。また、幾つかの帯体４２には外方に向かう突起部４２ａが形成されている。
【００２７】
ストッパ４ｂは、開放部を有するリング４３の外周の３か所に、鉢４ａのフランジ部４１の上面に形成された係合孔４１ａに係合する３個の係合爪４４と、リング４３の内周部に突出した植物押さえ４５とを備える。
【００２８】
次に、鉢状体４の使用法を説明する。最初に、図４（ｂ）に示すように、植物の根部を鉢４ａに挿入し、その後、ストッパ４ｂを、植物の根部が鉢４ａに押さえつけられるように、係合爪４４と係合孔４１ａを用いて鉢４ａに固定する。この状態で、鉢４ａを上下左右に任意の方向に回転した姿勢としても、鉢４ａから植物が脱落することがない。
【００２９】
そして、図４（ｃ）に示すように、植物を保持した鉢状体４を可視ディスプレイ部２の植込口２ａに嵌め込み、係合部２ｃに鉢状体４の突起部４２ａが係止することで、鉢状体４が保持される。また、可視ディスプレイ部２が傾斜部２ｂを有しているために、鉢状体４に植えられた植物が可視ディスプレイ部２の前面から大きく突出することはない。この構造により、鉢状体４に収容保持された植物の根部が箱状体３と鉢状体４との二重構造で囲まれて、保水性を保ちながら確実に植物を固定できる。
【００３０】
なお、植木鉢１においては、鉢状体４を用いないで植込口２ａから直接植物の根部を植えることも考え得る。また、植物の根部を、例えば厚さ１〜２ｃｍ程度のスポンジ状ウレタンフォーム、ロックウールなど保水性及び透水性を有する通水性素材で包んでも良い。
【００３１】
次に、植木鉢１の設置方法に関して図５を参照して説明する。最初に、図５（ａ）に示すように、開花中の鉢花（完成株）などのポットを外して上記図４（ｂ）において説明した方法により鉢状体４に収容保持する。次に、図５（ｂ）に示すように、鉢状体４を可視ディスプレイ部２の植込口２ａに嵌め合わせて係合して、図５（ｃ）に示すように、可視ディスプレイ部２を垂直に立てた状態で、箱状体３の開口部３ｂから培養土を充填する。
【００３２】
そして、図５（ｄ）に示すように、蓋部３ｃを箱状体３の開口部３ｂに装着する。そして、植物を養生させる場合には、図５（ｅ）に示すように、可視ディスプレイ部２を水平にした状態で植物を上向きにして、農家や家庭などにおいて植物を相当期間（例えば３〜４か月など）において養生させる。最後に、植木鉢１を所望の設置場所に搬入して、設置場所に設置する。
【００３３】
次に、植木鉢１の設置例に関して図６〜図８を参照して説明する。図６に示す場合、植木鉢１は、可視ディスプレイ部２を立てた状態で、その面の左右周縁部がネジ・ナットなどの取り付け部材などを介してマンションのベランダなどの支柱に取り付けられている。また、図７（ａ），（ｂ）に示すように、植木鉢１を取り付ける向きを外向きや内向きに変更でき、植木鉢１の植物を外側からのみでなく室側からも見えるようにできる。また、図８に示すように、比較的大型の植物を植えた植木鉢１を様々なところに立設された支柱に可視ディスプレイ部２の面の周縁部を取り付けることもできる。なお、植木鉢１の配置方法は様々であり、ボルトナットで支柱などに固定するのみでなく、可視ディスプレイ部２の縁部に紐を通して（図示せず）、所望の位置に吊り下げることも考え得る。
【００３４】
以上のように、本実施の形態１に係る植木鉢１は、植物をディスプレイする可視ディスプレイ部２と、可視ディスプレイ部２の背面側に取り付けられる箱状体３と、を備える。そして、可視ディスプレイ部２を立てた状態において、箱状体３の上面の少なくとも一部には開口部３ｂが形成され、開口部３ｂには、蓋部３ｃが着脱可能に取り付けられる。また、可視ディスプレイ部２の植込口２ａには、鉢状体４が挿入される。
【００３５】
この構成により、植木鉢１では、箱状体３の内部空間に充分な培養土を収容でき、且つ通水のための穴部３ｄを複数有する蓋部３ｃを介して水を与えることができる。このため、植物の乾燥を防止し、植物を良好な状態で長期間維持できる。
【００３６】
また、植木鉢１は、様々な空間や場所に配置でき、施工性に優れた新しい形状の植木鉢となる。さらに、ホームセンターなどで市販されている鉢花（完成株）などのポットを用いて、マンションのベランダなどで、植物の存在感のある景観を創出できる。
【００３７】
さらに、植木鉢１は、各設置場所のデザインニーズに合わせた装飾ができ、レイアウト変更性・デザイン性に極めて優れたものとなる。また、枯死した植物の入れ替えも、鉢状体４を交換するのみで対応でき、極めて機能的となる。
【００３８】
またさらに、農家で植木鉢１を用いて植物を予め養生しておくことで、生育速度の穏やかな植物（樹木など）の育つ期間を待つ必要がなく、植物の存在感のある景観を即席で創出できる。さらに、箱状体３及び鉢状体４を用いるため、植木鉢１をマンションベランダの壁面などに沿って設置しても、植物の根が建物に直接触れることはなく、建物壁面を傷めることがない。
【００３９】
（変形例１）
本実施の形態１の変形例１について、図９（ａ）を参照して説明する。本変形例１に係る植木鉢１において、可視ディスプレイ部２には複数の孔２ｄが網目状に形成される。この構成により、上記実施の形態１の効果に加えて、可視ディスプレイ部２の軽量化・通気性を向上できる。その結果、植物の生育環境が非常に良くなり、むれが少なく病害虫の発生が少なくなり植物の生長を促すことができる。また、この複数の孔２ｄが凹凸形状となるため、鉢状体４に植え込まれた植物の茎の登攀を補助できる。
【００４０】
（変形例２）
本実施の形態１の変形例２について、図９（ｂ）を参照して説明する。本変形例２に係る植木鉢１は、箱状体３にフック（図示せず）、可視ディスプレイ部２にフック受け２ｅが形成され、フックをフック受け６に引っ掛けることで、箱状体３が可視ディスプレイ部２に係合される。このため、本変形例２においては、上記実施の形態１の効果に加えて、箱状体３を可視ディスプレイ部２にワンタッチで係合できる。なお、可視ディスプレイ部２と箱状体３との係合構造はこれら以外の係合構造でも良い。
【００４１】
なお、本発明は、上記実施の形態の構成に限られず、発明の趣旨を変更しない範囲で種々の変形が可能である。例えば、可視ディスプレイ部に形成される植込口は一つに限定されるものではなく、複数の植込口を自由な位置に設けることで、デザイン性を向上できる。また、植木鉢を成す可視ディスプレイ部の周囲を金網や支持柱などで拡張（例えば５０ｃｍ〜１ｍ角に）して、そのデザイン性を更に向上できる。
【符号の説明】
【００４２】
１  植木鉢
２  可視ディスプレイ部
２ａ  植込口
２ｂ  傾斜部
２ｃ  係合部
２ｄ  孔
３  箱状体
３ａ  開放面
３ｂ  開口部
３ｃ  蓋部
３ｄ  穴部
４  鉢状体
４ａ  鉢
４ｂ  ストッパ
４２ａ  突起部
【要約】
【課題】植物の乾燥を抑制して植物を良好な状態で長期間維持でき、且つ様々な空間や場所に配置できる新しい形状の植木鉢を提供する。
【解決手段】植木鉢１は、植物を植え込むための面、及び植込口２ａを有した可視ディスプレイ部２と、可視ディスプレイ部２の背面側に取り付けられ、可視ディスプレイ部２に取り付けられる面は開放面３ａとなり、且つ培養土を収容するための内部空間を有した箱状体３と、を備える。また、可視ディスプレイ部２を立てた状態において、箱状体３の上面には開口部３ｂが形成される。この構成により、植物の乾燥を抑制して多量の培養土により植物を良好な状態で長期間維持でき、且つ様々な空間や場所に配置できる新しい形状の植木鉢１となる。
【選択図】図３【図１】
0005899362.tif 000002
【図２】
0005899362.tif 000003
【図３】
0005899362.tif 000004
【図４】
0005899362.tif 000005
【図５】
0005899362.tif 000006
【図６】
0005899362.tif 000007
【図７】
0005899362.tif 000008
【図８】
0005899362.tif 000009
【図９】
0005899362.tif 000010